【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
購入商品情報を含む精算情報を入力する入力装置と、
精算情報及びその他の表示情報を表示する顧客用表示器を含む表示装置と、
精算情報及びその他の印刷データを印刷する印刷装置と、
前記入力装置からの情報を取得して、購入金額の合計を算出し、少なくとも前記表示情報の一部及び前記印刷データの一部を生成して出力するＰＯＳ端末装置と、
前記ＰＯＳ端末装置に新たな機能を提供する少なくとも１つの付加機能提供装置と、
前記入力装置、前記表示装置及び前記印刷装置の少なくとも一つと、前記ＰＯＳ端末装置と、前記付加機能提供装置とに接続されており、前記接続されている装置間のデータの送受信を中継する入出力制御装置と、
を備えるＰＯＳシステムであって、
前記入出力制御装置は、
前記接続されている一部又は全ての装置からの受信データについて、所定の検証条件を満たすか否かを検証する検証部と、
前記受信データが前記検証条件を満たさない場合の第１の処理手順と、前記受信データが前記検証条件を満たす場合の第２の処理手順を、前記検証条件毎に定めた処理手順を記憶する処理手順記憶部と、
前記検証部の検証結果に応じて、前記処理手順に従って前記受信データを処理し、前記受信データの一部又は全部を、接続された一部又は全ての装置に出力するデータ処理部と、
を備えることを特徴とするＰＯＳシステム。
【請求項２】
前記入出力制御装置は、さらに、各入力ポート毎に個別の検証条件又は複数の入力ポートに共通の前記検証条件を記憶する検証条件記憶部と、前記入力ポートからの受信データを記憶するデータ記憶部とを備えることを特徴とする請求項１に記載のＰＯＳシステム。
【請求項３】
前記付加機能提供装置は、前記入出力制御装置からの送信情報に対応した暗証番号、前記送信情報に基づき更新される更新情報、及び前記送信情報に基づき所定のデータベースから検索して抽出した抽出情報のうちの一部又は全てを含んでいる、発行情報を出力する付加情報発行装置からなり、
前記入出力制御装置は、前記受信データ中に前記検証条件を満足する合致情報を検出したときに、前記第２の処理手順に従い、前記合致情報を前記送信情報として前記付加情報発行装置に送信し、前記付加情報発行装置から受信した情報を、ＰＯＳ印刷装置又は他の印刷装置に印刷データとして出力することを特徴とする請求項１又は２に記載のＰＯＳシステム。
【請求項４】
前記入出力制御装置に、前記ＰＯＳ印刷装置が接続されており、前記入出力制御装置を介して前記ＰＯＳ端末装置から前記ＰＯＳ印刷装置へ前記印刷データを出力するＰＯＳシステムであって、
前記入出力制御装置は、前記ＰＯＳ端末装置から受信した前記印刷データ中に前記合致情報を検出したときに、前記付加情報発行装置に対して、前記合致情報を前記送信情報として送信することを特徴とする請求項３に記載のＰＯＳシステム。
【請求項５】
前記入出力制御装置に、少なくとも前記顧客用表示器と、顧客によるデータ入力が可能な顧客入力装置が接続されており、
前記付加情報発行装置は、前記検証条件に合致した情報を受信したときに、前記入出力制御装置に暗証番号の入力を要求し、入力された暗証番号が所定の条件を満たす場合に付加情報を発行する暗証番号処理部を備え、
前記入出力制御装置は、前記付加情報発行装置からの前記暗証番号の入力要求を受信したときに、前記第２の処理手順に基づき、前記顧客用表示器に暗証番号の入力を促す表示を行うとともに、前記顧客入力装置から入力された暗証番号を前記付加情報発行装置に送信することを特徴とする請求項４に記載のＰＯＳシステム。
【請求項６】
前記付加情報発行装置は購入カードに基づいてコーリングカードを発行するカード発行装置からなり、該カード発行装置は、購入するコーリングカードの種類、金額、通話時間情報、ＰＯＳシステム設置場所情報に応じて、接続先の電話番号もしくは暗証番号もしくは通話残り時間の一部又は全てを印刷させる情報を発行することを特徴とする請求項３から５のいずれか１項に記載のＰＯＳシステム。
【請求項７】
前記入出力制御装置に、前記ＰＯＳ印刷装置または前記入力装置の少なくとも一つが接続されており、前記入出力制御装置を介して前記ＰＯＳ端末装置と前記ＰＯＳ印刷装置又は前記入力装置とのデータの送受信を行うＰＯＳシステムであって、前記カード発行装置は、前記入力装置からの入力情報中もしくは印刷情報中に購入カードの購入情報および住所情報を検出したときに、所定のデータベースから、前記住所情報に対応する電話番号を抽出して、前記購入カードの購入情報に応じたコーリングカードの通話用の暗証番号を入出力制御装置に送信し、コーリングカードにそれらの情報の一部又は全てを印刷させることを特徴とする請求項６に記載のＰＯＳシステム。
【請求項８】
前記入出力制御装置は、前記受信データの一部又は全てを組み合わせて、前記データ記憶部に保存し、定期的に、または前記付加機能提供装置からの要求があった場合に、または前記データ記憶部の記憶用メモリの残量が所定の容量に達した場合に、または前記受信データが所定の検証条件を満たす場合に、前記データ記憶部に保存された情報を暗号化または非暗号化して前記付加機能提供装置に送信することを特徴とする請求項１から７のいずれか１項に記載のＰＯＳシステム。
【請求項９】
前記受信データが、インクの使用量、インクの残量、印刷量、オートカット回数、紙送り量、電源ｏｎ／ｏｆｆ回数の一部又は全てのメンテナンス情報であることを特徴とする請求項１から８のいずれか１項に記載のＰＯＳシステム。
【請求項１０】
前記入出力制御装置を第１の入出力制御装置とし、該第１の入出力制御装置に第２もしくは複数の入出力制御装置を接続したＰＯＳシステムにおいて、
前記第１の入出力制御装置から送信される情報の全て又は一部が、前記付加機能提供装置の代わりに又は前記付加機能提供装置に加えて、前記第２もしくは複数の入出力制御装置の一部又は全てを受信先として送信され、
前記第２もしくは複数の入出力制御装置にて受信した受信データのうち、所定の入出力制御装置の検証条件を満たす情報を保存することを特徴とする請求項１から９のいずれか１項に記載のＰＯＳシステム。
【請求項１１】
請求項１から１０に記載のいずれか１項に記載の入出力制御装置を備えることを特徴とする印刷装置。
【請求項１２】
少なくとも、購入商品情報を含む精算情報を入力する入力装置と、精算情報及びその他の表示情報を表示する顧客用表示器を含む表示装置と、精算情報及びその他の印刷データを印刷する印刷装置と、前記入力装置からの情報を取得して、購入金額の合計を算出し、前記表示情報及び前記印刷データを生成して出力するＰＯＳ端末装置とを備えるＰＯＳシステムにおいて、
前記入力装置、前記表示装置及び前記印刷装置の少なくとも一つと、前記ＰＯＳ端末装置と、前記ＰＯＳ端末装置により提供されない機能を提供する少なくとも１つの付加機能提供装置とに接続されており、
前記接続されている全ての装置からの受信データが所定の検証条件を満たすか否かを検証する検証部と、
前記受信データが前記検証条件を満たさない場合の第１の処理手順と、前記受信データが前記検証条件を満たす場合の第２の処理手順を、前記検証条件毎に定めた処理手順を記憶する処理手順記憶部と、
前記検証部の検証結果に応じて、前記処理手順に従って前記受信データを処理し、前記受信データを接続された装置に出力するデータ処理部と、
を備え、前記接続されている装置間のデータの送受信を中継することを特徴とする入出力制御装置。
【請求項１３】
さらに、各入力ポート毎に受信データを記憶するデータ記憶部と、前記検証条件を前記入力ポート毎に記憶する検証条件記憶部とを備えることを特徴とする請求項１２に記載の入出力制御装置。
【請求項１４】
入力装置、ＰＯＳ端末装置、表示装置及び印刷装置の各装置の一部又は全部、及び付加機能提供装置と接続されており、前記各装置間の入出力データを中継処理する入出力制御装置のデータ中継処理方法であって、
（ａ）前記各装置からの受信データが、各入力ポート毎に規定されている所定の検証条件を満たすか否かを検証する工程と、
（ｂ）前記受信データが前記所定の検証条件を満たさないときには、第１の処理手順に従い、前記ＰＯＳ端末装置又は前記印刷装置に送信する工程と、
（ｃ）前記受信データが前記所定の検証条件を満たすときには、前記第１の処理手順による処理に加えて、又は前記第１の処理手順による処理と置き換えて、第２の処理手順に従い前記受信データを前記付加機能提供装置に送信する工程と、
（ｄ）前記付加機能提供装置から受信したデータを、前記第２の処理手順に従い処理する工程と、
を備えることを特徴とするデータ中継処理方法。
【請求項１５】
前記工程（ｄ）は、
（ｄ−１）前記入力装置から所定の入力を求める表示情報を、前記表示装置に出力する工程と、
（ｄ−２）前記表示装置による表示に従い前記入力装置から入力された入力情報を、前記付加機能提供装置に送信する工程と、
（ｄ−３）前記工程（ｄ−２）に応答して、前記付加機能提供装置から受信した印刷情報を、前記印刷装置に送信する工程と、
を備えることを特徴とする請求項１４に記載のデータ中継処理方法。
【請求項１６】
前記工程（ｂ）は、前記受信データが前記所定の検証条件として登録された情報と一致するときに、付加機能提供装置に前記受信データを送信する工程からなり、
前記工程（ｄ）は、付加機能提供装置から受信した暗証番号もしくは更新情報もしくは抽出情報の一部又は全てを含む印刷情報を、前記印刷装置に送信する工程からなることを特徴とする請求項３１又は１５に記載のデータ中継処理方法。
【請求項１７】
前記工程（ｂ）は、前記受信データが前記所定の検証条件として登録された情報と一致するときに、前記付加機能提供装置に前記受信データを送信する工程からなり、
前記工程（ｄ−１）は、暗証番号の入力を促す表示情報を前記表示装置に送信する工程からなり、
前記工程（ｄ−２）は、入力装置から受信した暗証番号を前記付加機能提供装置に送信する工程からなり、
前記工程（ｄ−３）は、前記付加機能提供装置から受信した情報を前記印刷装置に送信する工程からなることを特徴とする請求項１４から１６のいずれか１項に記載のデータ中継方法。